(57)【要約】【課題】銘板の浮きに起因する光漏れを長期に亘って確実に防止できる回転操作型電気部品を提供すること。【解決手段】回転つまみ２の周囲に配置された円環薄板状の銘板３に、背面側から導光体５（外側リング部５ｂ）によって照光される表示部３ａが設けてあり、この銘板３の背面の内周部および外周部がホルダ４に接着固定されると共に、前面パネル１０の開口部１１内に回転つまみ２および表示部３ａを露出させた状態で組み込まれる回転操作型電気部品において、銘板３の外周部を接着するホルダ４の大径円環部４ｂを、銘板３の内周部を接着するホルダ４の小径円環部４ａよりも前方へ所定量突出させ、開口部１１の周縁に沿って延びる前面パネル１０の突堤部１２を銘板３の外周部近傍に圧接させることにより、銘板３の内周部をホルダ４（小径円環部４ａ）に押し付けるようにした。【選択図】      図２
2004227855.tif 000002
【特許請求の範囲】
【請求項１】
前面パネルの開口部内に露出した状態で組み込まれる回転操作可能な回転つまみと、この回転つまみの周囲に配置された表示部を有する薄板状の銘板と、この銘板の背面の内周部および外周部を接着固定するホルダと、前記銘板の背面側から前記表示部に光を照射する光源とを備え、
前記ホルダのうち前記銘板の外周部を接着する部位を該銘板の内周部を接着する部位よりも前方へ所定量突出させ、前記前面パネルの背面側に形成した突起部によって前記銘板の外周部近傍が押圧されるように構成したことを特徴とする回転操作型電気部品の照光機構。
【請求項２】
請求項１の記載において、前記突起部を前面パネルの前記開口部の周縁に沿って連続的に形成したことを特徴とする回転操作型電気部品の照光機構。
【発明の詳細な説明】
【０００１】
【発明の属する技術分野】
本発明は、回転つまみの周囲に配置された銘板の表示部を照光可能とした回転操作型電気部品の照光機構に係り、特に、エアコンシステムやオーディオシステム等の車載用回転操作型電気部品に適用して好適な照光機構に関する。
【０００２】
【従来の技術】
車載用のエアコンシステムやオーディオシステム等に使用される回転操作型電気部品おいては、搭乗者によって回転操作される回転つまみの回転操作位置が暗所においても視認できるようにするために、回転つまみの周囲に表示部が形成された銘板を配置し、この銘板の背面側から表示部を照光可能とした照光機構が広く採用されている（例えば、特許文献１参照）。
【０００３】
図６はこの種の照光機構を備えた車載用回転操作型電気部品の従来例を示す断面図である。同図に示す回転操作型電気部品１には、円筒状の回転つまみ２と、この回転つまみ２によってロータ部６が回転操作されるロータリエンコーダと、回転つまみ２の周囲に配置された円環薄板状の銘板３と、この銘板３の背面の内周部および外周部を接着固定しているホルダ４と、このホルダ４に保持され内側リング部５ａおよび外側リング部５ｂを連結してなる導光体５と、この導光体５に隣接して配置された光源７と、前記ロータリエンコーダや光源７等が実装された回路基板８とを具備している。
【０００４】
回転つまみ２は遮光性の合成樹脂材料からなるが、この回転つまみ２の一部には、導光体５の内側リング部５ａによって照光される位置マーク２ａが付設されている。銘板３は、光透過性の樹脂板の前面に表示部３ａを除いて遮光性塗料を塗布し、かつ該樹脂板の背面全体に有色の調色シートを貼着したものであり、導光体５の外側リング部５ｂによって表示部３ａが調色シートに応じた所望の色で照光されるようになっている。この表示部３ａは、回転つまみ２の回転位置の指標となる図柄や文字等を表示している照光領域であり、位置マーク２ａが表示部３ａのどこを指し示しているかを見ることにより、搭乗者が回転つまみ２の回転操作位置を視認できるようになっている。導光体５はアクリル樹脂等の光透過性に富む材料からなる成形品であり、その一端面５ｃに入射された光源７の光が、内側リング部５ａからその前方の回転つまみ２へ向けて出射されると共に、外側リング部５ｂからその前方の銘板３へ向けて出射されるようになっている。樹脂成形品であるホルダ４は、図示せぬ下ケースと一体化される上ケースを兼ねており、その小径円環部４ａと大径円環部４ｂの各前端面が銘板３を接着固定していると共に、小径円環部４ａを挟んで導光体５の内側リング部５ａと外側リング部５ｂが配置されている。回路基板８は前記下ケースに取り付けられており、この回路基板８や下ケースに設けられた図示せぬコネクタ部を介して、回転操作型電気部品１は外部回路と電気的に接続されるようになっている。
【０００５】
なお、回転つまみ２はホルダ４に対して回転自在となっているため、ホルダ４の小径円環部４ａと回転つまみ２との間には隙間が必要であるが、この隙間は内側リング部５ａから出射された光を前方へ漏出させる光路となりやすいため、意匠性を損なう照光時の光漏れが懸念される。そこで通常は、回転つまみ２にフランジ部２ｂを突設し、このフランジ部２ｂがホルダ４の小径円環部４ａと重なり合うように構成されている。
【０００６】
このように構成された回転操作型電気部品１は、車室内の前面パネル１０に形成された円形の開口部１１内に銘板３の表示部３ａや回転つまみ２を露出させた状態で組み込まれ、回転つまみ２が開口部１１から前方へ突出した状態に設定される。そして、搭乗者が回転つまみ２を回転操作する際には、位置マーク２ａと表示部３ａとの相対位置を見ることによって回転操作位置が確認でき、夜間等の暗所においても位置マーク２ａおよび表示部３ａが背面側から照光されることから、支障なく回転操作を行うことができる。
【０００７】
【特許文献１】
特開平７−３３５０７６号公報（第２−４頁、図４）
【０００８】
【発明が解決しようとする課題】
上述した従来の車載用回転操作型電気部品１では、位置マーク２ａ照光用の内側リング部５ａからの光が前方へ漏れないようにするため、回転つまみ２にフランジ部２ｂを突設してはいるが、銘板３は内周部および外周部がホルダ４に接着固定されているので、表示部３ａ照光用の外側リング部５ｂからの光が前方へ漏れる心配はないものとして、特別な光漏れ対策は講じられていない。しかしながら、車室内は高温になりやすく温度変化も大きいため、長期間経過すると接着力が低下して、銘板３の一部がホルダ４から浮いてしまうことがある。もちろん、図６に示すように、銘板３を前面パネル１０とホルダ４とで挟持する構成を採用すれば、銘板３の外周部の浮きを防止することはできるが、照光時の光漏れは銘板３の内周部が浮いてしまった場合に問題となる。
【０００９】
つまり、銘板３の内周部の一部がホルダ４から浮いて隙間が生じると、図６に矢印Ｂで示すように、表示部３ａ照光用の外側リング部５ｂからの光が該隙間を通過して回転つまみ２の周囲に漏れてしまうため、意匠性が著しく損なわれてしまう。なお、表示部３ａは開口部１１内に露出させなければならないので、銘板３の内周部を前面パネル１０とホルダ４とで挟持する構成は採用できない。
【００１０】
本発明は、このような従来技術の実情に鑑みてなされたもので、その目的は、銘板の浮きに起因する光漏れを長期に亘って確実に防止することができる回転操作型電気部品を提供することにある。
【００１１】
【課題を解決するための手段】
上述した目的を達成するため、本発明による回転操作型電気部品の照光機構では、前面パネルの開口部内に露出した状態で組み込まれる回転操作可能な回転つまみと、この回転つまみの周囲に配置された表示部を有する薄板状の銘板と、この銘板の背面の内周部および外周部を接着固定するホルダと、前記銘板の背面側から前記表示部に光を照射する光源とを備え、前記ホルダのうち前記銘板の外周部を接着する部位を該銘板の内周部を接着する部位よりも前方へ所定量突出させ、前記前面パネルの背面側に形成した突起部によって前記銘板の外周部近傍が押圧されるように構成した。
【００１２】
このように構成された回転操作型電気部品の照光機構によれば、銘板の外周部が内周部に比して前方でホルダに支えられ、且つホルダに支えられていない銘板の外周部近傍が前面パネルの突起部によって前方から押し込まれるため、銘板には外周部を支点とする曲げモーメントが作用して内周部がホルダに押し付けられた状態となる。それゆえ、接着力が低下しても銘板の内周部がホルダから浮いてしまう心配はなくなり、銘板の浮きに起因する光漏れを長期に亘って確実に防止することができる。
【００１３】
なお、一般的に銘板の外周部近傍に表示部は設けられないので、前面パネルの突起部で銘板の外周部近傍が覆われても表示部が隠れてしまうことはない。ただし、前面パネルの突起部を開口部の周縁に沿って連続的に形成すれば、開口部の露出面積が確保しやすくなると共に、銘板の内周部を全周に亘ってホルダに押し付けることが容易となるため、好ましい。
【００１４】
【発明の実施の形態】
発明の実施の形態について図面を参照して説明すると、図１は本発明の実施形態例に係る車載用回転操作型電気部品の正面図、図２は図１のＩＩ−ＩＩ線に沿う断面図、図３は照光機構の要部を示す説明図、図４はホルダの斜視図、図５は導光体の斜視図である。なお、これらの図において、図６に対応する部分には同一符号を付してあるので、重複する説明は適宜省略する。
【００１５】
図１，２に示す回転操作型電気部品２０は、円筒状の回転つまみ２と、この回転つまみ２によってロータ部６が回転操作されるロータリエンコーダと、回転つまみ２の周囲に配置された円環薄板状の銘板３と、この銘板３の背面の内周部および外周部を接着固定しているホルダ４（図４参照）と、内側リング部５ａおよび外側リング部５ｂを連結してなりホルダ４に保持された導光体５（図５参照）と、この導光体５に隣接して配置された光源７と、回転つまみ２の内部に押圧操作部９が配置されたプッシュスイッチと、これらプッシュスイッチとロータリエンコーダおよび光源７等が実装された回路基板８と、この回路基板８が取り付けられてホルダ４に一体化された図示せぬ下ケースとによって概略構成されている。そして、この回転操作型電気部品２０は、車室内に配設された前面パネル１０の円形の開口部１１内に、銘板３の表示部３ａや回転つまみ２およびプッシュスイッチの押圧操作部９等を露出させた状態で組み込まれ、回転つまみ２が開口部１１から前方へ突出した状態に設定される。
【００１６】
回転つまみ２には光漏れ防止用のフランジ部２ｂが突設されると共に、導光体５の内側リング部５ａによって照光される位置マーク２ａが付設されている。銘板３には回転つまみ２の回転位置の指標となる図柄等の表示部３ａが設けられており、位置マーク２ａが表示部３ａのどこを指し示しているかを見ることによって、搭乗者は回転つまみ２の回転操作位置を視認することができる。また、表示部３ａは導光体５の外側リング部５ｂによって照光されるので、夜間等の暗所においても支障なく回転操作を行うことができる。さらに、導光体５の一端面５ｃに入射された光源７の光が、内側リング部５ａからその前方の回転つまみ２へ向けて出射されると共に、外側リング部５ｂからその前方の銘板３へ向けて出射されるようになっている。
【００１７】
ホルダ４は、その小径円環部４ａと大径円環部４ｂの各前端面に銘板３を接着固定しているが、図２，３に示すように、銘板３の外周部を接着固定している大径円環部４ｂが、銘板３の内周部を接着固定している小径円環部４ａよりも、前方へ所定量（例えば約０．５ｍｍ）突出させてある。また、前面パネル１０の背面側には開口部１１の周縁に沿って連続的に延びる突堤部１２が形成されており、この突堤部１２が銘板３の外周部近傍に圧接するように、前面パネル１０に対する回転操作型電気部品２０の組み込み位置が設定されている。ただし、円環薄板状の銘板３には相応の可撓性が付与されているので、多少の寸法誤差があっても突堤部１２を銘板３の外周部近傍に圧接させることは容易である。
【００１８】
次に、上述した回転操作型電気部品２０の光漏れ防止対策について説明すると、回転つまみ２にはホルダ４の小径円環部４ａと重なり合うようにフランジ部２ｂが突設されているので、導光体５の内側リング部５ａから前方へ出射される位置マーク２ａ照光用の光が、回転つまみ２と小径円環部４ａとの間の隙間を通過して前方へ漏れる危険性は低い。特に、本実施形態例においては、フランジ部２ｂの底面に光を反射しにくい黒色系の塗料が塗布してあるため、該底面で反射されて前方へ漏れてくる光も極めて少ない。
【００１９】
また、導光体５の外側リング部５ｂから前方へ出射される表示部３ａ照光用の光については、銘板３の内周部および外周部がホルダ４に接着固定されてはいるものの、長期間経過すると接着力が低下して銘板３の浮きが発生する危険性があるので、本実施形態例においては、ホルダ４の大径円環部４ｂを小径円環部４ａよりも僅かに前方へ突出させ、この大径円環部４ｂに支えられる銘板３の外周部よりも若干内周側の近傍に、前面パネル１０の突堤部１２を押し当てる構成を採用している。このような構成を採用すると、ホルダ４に支えられていない銘板３の外周部近傍が突堤部１２によって前方から押し込まれるため、銘板３には外周部を支点とする曲げモーメントが作用して内周部がホルダ４の小径円環部４ａに押し付けられた状態となる。それゆえ、接着力が低下しても銘板３の内周部がホルダ４から浮いてしまう心配はなくなり、銘板３の浮きに起因する光漏れを長期に亘って確実に防止することができる。
【００２０】
なお、前面パネル１０の突堤部１２は開口部１１の周縁に沿って連続的に延びているので、銘板３の内周部を全周に亘ってホルダ４に押し付けることは容易である。また、このような突堤部１２を前面パネル１０に設けても、開口部１１には広い露出面積を確保できるので、表示部３ａや回転つまみ２のスペースが制約されることはない。
【００２１】
【発明の効果】
本発明は、以上説明したような形態で実施され、以下に記載されるような効果を奏する。
【００２２】
回転つまみの周囲に配置された銘板の外周部が内周部に比して前方でホルダに支えられるようにし、且つホルダに支えられていない銘板の外周部近傍が前面パネルの突起部によって前方から押し込まれるように構成したので、ホルダに接着されている銘板の内周部は該ホルダに押し付けられた状態に保たれる。それゆえ、接着力が低下しても銘板の内周部がホルダから浮いてしまう心配はなく、銘板の浮きに起因する光漏れを長期に亘って確実に防止することが可能な回転操作型電気部品を提供できる。
【図面の簡単な説明】
【図１】本発明の実施形態例に係る車載用回転操作型電気部品の正面図である。
【図２】図１のＩＩ−ＩＩ線に沿う断面図である。
【図３】該回転操作型電気部品に備えられる照光機構の要部を示す説明図である。
【図４】該回転操作型電気部品に備えられるホルダの斜視図である。
【図５】該回転操作型電気部品に備えられる導光体の斜視図である。
【図６】従来例に係る車載用回転操作型電気部品の断面図である。
【符号の説明】
２  回転つまみ
２ａ  位置マーク
２ｂ  フランジ部
３  銘板
３ａ  表示部
４  ホルダ
４ａ  小径円環部
４ｂ  大径円環部
５  導光体
５ａ  内側リング部
５ｂ  外側リング部
７  光源
８  回路基板
１０  前面パネル
１１  開口部
１２  突堤部（突起部）
２０  回転操作型電気部品
【図１】
2004227855.tif 000003
【図２】
2004227855.tif 000004
【図３】
2004227855.tif 000005
【図４】
2004227855.tif 000006
【図５】
2004227855.tif 000007
【図６】
2004227855.tif 000008